(57)【要約】      （修正有）【課題】温水パイプ及び熱板の熱を用いて遠赤外線を放射可能とし、安全、クリーンで健康増進が計れ、構成簡易で軽量の床暖房パネルを得ること。【解決手段】上面よりポリ塩化ビニル及び炭酸カルシウムを主成分とした表面層及び裏面層と該表裏面層間にポリ塩化ビニル及び炭酸カルシウムを主成分としこれに少なくとも２０％の麦飯石を混合した中間層を介在せしめて成型された上板と、薄厚亜鉛塗装鋼板製で略長方形状の左右平坦部中間下方に直線状に延びる配管溝部を有する直管用熱板と略方形状の平坦部の直交する二辺下方に円弧状の配管溝部を有する曲管用熱板と、架橋ポリマー製で断面円形状の直線部と円弧部を組合わせた温水パイプと、硬質プラスチック製成型体で平板状基部の上面から突出する突起部を有する保温ブロックと、断熱性ベース材表面に金属フォイルが貼着された薄厚の断熱反射板とを順次固着した床暖房パネル。【選択図】        図１
2005241101.tif 000002
【特許請求の範囲】
【請求項１】
上面よりポリ塩化ビニル及び炭酸カルシウムを主成分としこれに混合材等を混合した表面層及び裏面層と該表裏面層間にポリ塩化ビニル及び炭酸カルシウムを主成分としこれに少なくとも２０％の麦飯石と混合材等を混合した中間層を介在せしめて圧縮成型された平板の上板と、薄厚亜鉛塗装鋼板製で略長方形状の左右平坦部中間下方に直線状に延びる配管溝部を有する直管用熱板と略方形状の平坦部の直交する二辺下方に円弧状の配管溝部を有する曲管用熱板と、架橋ポリマー製で断面円形状の直線部と円弧部を組合わせた温水パイプと、硬質プラスチック製成型体で平板状基部の上面から突出する突起部を有する保温ブロックと、断熱性ベース材表面に金属フォイルが貼着された薄厚断熱反射板とを順次固着し、前記基部及び突起部で凹状に形成された直線及び湾曲配管路に圧入した前記直線状及び円弧状配管溝部に前記温水パイプを上方より収納保持せしめたことを特徴とする床暖房パネル。
【請求項２】
請求項１に記載の床暖房パネルにおいて、保温ブロックの基部を略正方形状にとり各突起部の隅部に形成され小溝部をもった略直角二等辺三角形の座部に嵌着可能な略正方形状の基板及び該小溝部に嵌着可能な小突起を有するブロック連結具を備え、前記保温ブロックを４個単位に並べて該保温ブロックを中央部においてブロック連結具により互いに連結したことを特徴とする床暖房パネル。
【請求項３】
直管用熱板の配管溝部にあっては平坦部上面側に幅狭の入り口が直線状に形成され該入り口から温水パイプの直線部を圧入し、曲管用熱板の配管溝部にあっては平坦部上面側に幅狭の入り口が円弧状に形成され該入り口から温水パイプの円弧部を圧入し、前記温水パイプを前記各配管溝部内に収納保持可能としたことを特徴とする請求項２又は３に記載の床暖房パネル。
【請求項４】
イ）硬質プラスチック製成型体で略正方形平板状の基部（５１）と、ロ）該基部（５１）の中心（ｏ１ ）の近接位置に斜辺を円弧状に形成した直角二等辺三角形４個の小片（ａ１ ）と該中心（ｏ１ ）から対称の離隔位置４箇所の中心（ｏ２ ）に対し該小片（ａ１ ）と同じ４個の小片（ａ２ ）がそれぞれ配設され、向合う前記小片（ａ１ 、ａ２ ）の円弧状斜辺間に前記中心（ｏ１ 、ｏ２ ）から半径（ｒ）の円弧状側壁で囲まれた中間片（ｂ）が４個対称位置に配設され、前記中心（ｏ１ ）を通る左右及び上下方向直線と前記基部（５１）縁部との交点４箇所を中心（ｏ３ ）とし半径（ｒ）の半円弧状側壁の中間に直線側壁により間隔をおいた端部片（ｃ）が上下左右に４組配設され、前記基部（５１）の四隅を中心（ｏ４ ）とし半径（ｒ）の４分円弧状側壁を形成した隅片ｄが４個配設され、前記各片が前記基部（５１）上に突設されている突起部（５２）とを備え、前記小片（ａ１ 、ａ２ ）及び端部片（ｃ）の各直線辺及び側壁を組合わせて直線配管路、並びに小片（ａ１ 、２ ）、中間片（ｂ）、端部片（ｃ）及び隅片（ｄ）の各円弧状斜辺及び側壁を組合わせて湾曲配管路が形成可能とされていることを特徴とする床暖房パネル用保温ブロック。
【請求項５】
請求項４に記載の保温ブロックにおいて、隅片（ｄ）の角部に略直角二等辺三角形の座部（ｅ１ ）と該座部（ｅ１ ）の中間部に弧状の小溝部（ｅ２ ）を有する連結片（ｅ）が設けられ、前記座部（ｅ１ ）に嵌着可能な大きさの基板（７１）と小溝部（ｅ２ ）に嵌着可能な４個の小突起（７２）を有するブロック連結具により４個単位に並べて中央部において互いに連結可能としたことを特徴とする保温ブロック。
【請求項６】
小片（ａ１ 、２ ）の隣接する直線辺の間隔、中間片（ｂ）と向合う前記小片（ａ１ 、２ ）との間隔、端部片（ｃ）の向合う直線側壁の間隔、及び隣接する端部片（ｃ）と隅片（ｄ）の各円弧状側壁の最短間隔は同じ値（ｗ）にとられていることを特徴とする請求項４又は５に記載の保温ブロック。
【請求項７】
請求項４〜６に記載の保温ブロックにおいて、基部（５１）を上下及び／又は左右方向に拡大し、該基部（５１）の拡大に対応して突起部（５２）の各片を順次増加せしめたことを特徴とする請求項３〜５に記載の保温ブロック。
【発明の詳細な説明】
【技術分野】
【０００１】
本発明は、床下に温水を循環させて室内を暖房するための床暖房パネル及びこれに用いる保温ブロックの改良に関する。
【背景技術】
【０００２】
従来の床暖房パネルは、本体基板に設けた配管溝に温水パイプを埋設し、本体基板上面に敷設されるアルミ製の熱板とよりなり、熱板の上面に仕上材としてフローリング、畳又はカーペット等の床材を敷設している。
【０００３】
熱板の構成について例えば下記の特許文献に灼熱板として記載がある。
【特許文献１】特開２００３−１３０３７３号公報
【発明の開示】
【発明が解決しようとする課題】
【０００４】
前記従来の床暖房パネルの温水パイプ及び熱板の熱は仕上材を単純に暖めるだけのものであり、温水パイプを埋設する基板も単純な構成で温水パイプの配管について多様な顧客の要求に柔軟に対応すること考慮されていない。
これに対し本発明は、温水パイプ及び熱板の熱を用いて遠赤外線を放射可能とし、安全、クリーンで健康増進が計れ、構成簡易で軽量の床暖房パネルを得ることを目的とする。 
又本発明は、温水パイプの配管を多様な顧客の要求する部屋暖房条件に柔軟に対応可能とする床暖房パネルに用いる保温ブロック得ることを目的とする。
【課題を解決するための手段】
【０００５】
この目的を達成するために、
請求項１の発明にあっては、上面よりポリ塩化ビニル及び炭酸カルシウムを主成分としこれに混合材等を混合した表面層及び裏面層と該表裏面層間にポリ塩化ビニル及び炭酸カルシウムを主成分としこれに少なくとも２０％の麦飯石と混合材等を混合した中間層を介在せしめて圧縮成型された平板の上板と、薄厚亜鉛塗装鋼板製で略長方形状の左右平坦部中間下方に直線状に延びる配管溝部を有する直管用熱板と略方形状の平坦部の直交する二辺下方に円弧状の配管溝部を有する曲管用熱板と、架橋ポリマー製で断面円形状の直線部と円弧部を組合わせた温水パイプと、硬質プラスチック製成型体で平板状基部の上面から突出する突起部を有する保温ブロックと、断熱性ベース材表面に金属フォイルが貼着された薄厚断熱反射板とを順次固着し、前記基部及び突起部で凹状に形成された直線及び湾曲配管路に圧入した前記直線状及び円弧状配管溝部に前記温水パイプを上方より収納保持せしめた床暖房パネルにより解決した。
請求項２の発明にあっては、請求項１に記載の床暖房パネルにおいて、保温ブロックの基部を略正方形状にとり各突起部の隅部に形成され小溝部をもった略直角二等辺三角形の座部に嵌着可能な略正方形状の基板及び該小溝部に嵌着可能な小突起を有するブロック連結具を備え、前記保温ブロックを４個単位に並べて該保温ブロックを中央部においてブロック連結具により互いに連結した床暖房パネルとすることができる。
請求項３の発明にあっては、直管用熱板の配管溝部にあっては平坦部上面側に幅狭の入り口が直線状に形成され該入り口から温水パイプの直線部を圧入し、曲管用熱板の配管溝部にあっては平坦部上面側に幅狭の入り口が円弧状に形成され該入り口から温水パイプの円弧部を圧入し、前記温水パイプを前記各配管溝部内に収納保持可能とした請求項２又は３に記載の床暖房パネルとするのが好ましい。
請求項４の発明にあっては、イ）硬質プラスチック製成型体で略正方形平板状の基部（５１）と、ロ）該基部（５１）の中心（ｏ１ ）の近接位置に斜辺を円弧状に形成した直角二等辺三角形４個の小片（ａ１ ）と該中心（ｏ１ ）から対称の離隔位置４箇所の中心（ｏ２ ）に対し該小片（ａ１ ）と同じ４個の小片（ａ２ ）がそれぞれ配設され、向合う前記小片（ａ１ 、ａ２ ）の円弧状斜辺間に前記中心（ｏ１ 、ｏ２ ）から半径（ｒ）の円弧状側壁で囲まれた中間片（ｂ）が４個対称位置に配設され、前記中心（ｏ１ ）を通る左右及び上下方向直線と前記基部（５１）縁部との交点４箇所を中心（ｏ３ ）とし半径（ｒ）の半円弧状側壁の中間に直線側壁により間隔をおいた端部片（ｃ）が上下左右に４組配設され、前記基部（５１）の四隅を中心（ｏ４ ）とし半径（ｒ）の４分円弧状側壁を形成した隅片ｄが４個配設され、前記各片が前記基部（５１）上に突設されている突起部（５２）とを備え、前記小片（ａ１ 、ａ２ ）及び端部片（ｃ）の各直線辺及び側壁を組合わせて直線配管路、並びに小片（ａ１ 、２ ）、中間片（ｂ）、端部片（ｃ）及び隅片（ｄ）の各円弧状斜辺及び側壁を組合わせて湾曲配管路が形成可能とされている床暖房パネル用保温ブロックにより解決した。
請求項５の発明にあっては、請求項４に記載の保温ブロックにおいて、隅片（ｄ）の角部に略直角二等辺三角形の座部（ｅ１ ）と該座部（ｅ１ ）の中間部に弧状の小溝部（ｅ２ ）を有する連結片（ｅ）が設けられ、前記座部（ｅ１ ）に嵌着可能な大きさの基板（７１）と小溝部（ｅ２ ）に嵌着可能な４個の小突起（７２）を有するブロック連結具により４個単位に並べて中央部において互いに連結可能とした保温ブロックとすることができる。 
請求項６の発明にあっては、小片（ａ１ 、２ ）の隣接する直線辺の間隔、中間片（ｂ）と向合う前記小片（ａ１ 、２ ）との間隔、端部片（ｃ）の向合う直線側壁の間隔、及び隣接する端部片（ｃ）と隅片（ｄ）の各円弧状側壁の最短間隔は同じ値（ｗ）にとられている請求項４又は５に記載の保温ブロックとすることができる。
請求項７の発明にあっては、請求項４〜６に記載の保温ブロックにおいて、基部（５１）を上下及び／又は左右方向に拡大し、該基部（５１）の拡大に対応して突起部（５２）の各片を順次増加せしめた請求項３〜５に記載の保温ブロックとすることができる。
【発明の効果】
【０００６】
本発明の床暖房パネルによれば、温水パイプ及び熱板の熱を用いて遠赤外線が上板から放射可能で、安全、クリーンで健康増進が計れ、構成簡易で軽量である。
又本発明の保温ブロックを床暖房パネルに用いると、温水パイプの配管を多様な顧客の要求する部屋暖房条件に柔軟に対応可能である。
【発明を実施するための最良の形態】
【０００７】
本発明の実施の形態を図面を参照して説明する。
図１は、本発明の一例の床暖房パネルの温水パイプ直線部分の横断面図である。
図２は、図１の床暖房パネルを構成する保温ブロック４個を連結した平面図である。
図３は、図２の保温ブロック４個に各熱板及び温水パイプ４を装着した平面図である。 
図４は、図１の床暖房パネルを構成する各熱板及びブロック連結具を示す斜視図である。
図５は、図１の床暖房パネルを構成する保温ブロックの平面図及び側面図である。
以下においては、本発明の床暖房パネルの使用状態において、床仕上材側を上側とし、
床スラブ、合板等の平坦な下地側を下側とし、図２、３に示す保温ブロックの平面視において上方を後側とし下方を前側として説明する。
【０００８】
先ず図１において、本発明の一例の床暖房パネル１の構成要素を説明する。床暖房パネル１は上から上板２、直管用熱板３、曲管用熱板３′、温水パイプ４、保温ブロック５、断熱反射板６及ブロック連結具７を有している。ここで、ブロック連結具７は保温ブロック５を４個単位で連結する際に用いられる選択的構成要素である。図１は、後述する温水パイプ４の直線部４１が埋設されている部分の横断面図（図３のＸ・Ｘ方向）で示してある。
上板２は厚さｔ１ の略正方形状平板で、ポリ塩化ビニル及び炭酸カルシウムを主成分としこれに混合材、カーボン、石粉等を混合した表面層及び裏面層と、該表裏面層間に介在するポリ塩化ビニル及び炭酸カルシウムを主成分としこれに少なくとも２０％の麦飯石を含み混合材、カーボン、石粉等を混合した中間層の三層を一体に圧縮成型して構成され、通常後述する保温ブロック５のモジュールの２倍の大きさにとられている。表面層、中間層又は裏面層には必要により僅かに顔料を混合して着色する場合もある。ここで麦飯石は花崗岩の一種の多元素鉱物で、多孔質であって従来有害物質の吸着等に用いられているが、本発明ではこれと全く異なり加熱により遠赤外線の放射が多発する性質に着目したもので、床暖房に最適な３８℃前後に保持するのが遠赤外線の放射に最も効率的である。
直管用熱板３は、図４（ａ）に示す大型の熱板で、外形が略長方形状厚さｔ２ の薄厚亜鉛塗装鋼板で、左右に平坦部３１、３１と、平坦部３１、３１の中間の下方に直線状に延び後述する温水パイプ４の直線部４１が挿着可能なように断面が内径Ｄの略円弧状の配管溝部３２とを有している。ここで、配管溝部３２は、平坦部３１上面側に狭い入り口３２ａが直線状に形成され、温水パイプ４は入り口３２ａから直線部４１を圧入し配管溝部３２内に安定して収納保持可能とされる。
曲管用熱板３′は、図４（ｂ）に示す小型の熱板で、外形が略正方形状の厚さｔ２ の薄厚亜鉛塗装鋼板で、平坦部３１′と、平坦部３１′の直交する２辺の中間の下方に円弧状に結んで形成され後述する温水パイプ４の円弧部４２が挿着可能なように断面が内径Ｄの略円弧状の配管溝部３２′と、平坦部３１′の隅部から配管溝部３２′の中間部に向かって設けられた楔状の小切込み３１′ａ、３１′ｂとを有している。ここで、配管溝部３２′は配管溝部３２のように狭い入り口３２′ａが平面視において円弧状に形成され、温水パイプ４は入り口３２′ａから円弧部４２を圧入し配管溝部３２′内に安定して収納保持可能とされる。ここで小切込み３１′ａ、３１′ｂは、配管溝部３２′の形成加工の際の歪み吸収のためのもので必須の構成ではない。
温水パイプ４は、外径Ｄ、内径ｄの断面円形状の架橋ポリマー例えば架橋ポリエチレン製のパイプで、室内暖房のために熱源の配置に対応して平面視において連続した直線部４１及び円弧部４２を適宜選択して組合わせている。
【０００９】
保温ブロック５は、図３も参照し、硬質プラスチック例えばポリプロピレン製で、外形は略正方形状成型体で通常上板２の１／２のモジュールの大きさにとられ、略正方形平板状で厚さｔ４ の基部５１と、基部５１の上面から高さｔ３ だけ異形状の突出する突起部５２とから形成されている。
突起部５２の各構成要素は、基部５１全体の中心ｏ１ に対し平面視において前後左右対称に配設され、異形状のいずれの構成要素にも蜂の巣状の空間部が形成されているが、この空間部は軽量化及び成形容易化のための好ましい構成ではあるが必須のものではないので個々の説明は省略する。図面の符号は輻輳化を避けるため同様の構成要素には記載を一部省略してある。又以下図３については各構成要素の形状は特記しない限り平面視の状態において説明する。
先ず基部５１全体の中心ｏ１ の近接位置に直角二等辺三角形の斜辺対応側を中心ｏ１ 側に向かって凸状の円弧状斜辺に形成した４個の小片ａ１ が配設され、該円弧状斜辺を外側におき直交する直線辺を内側におき、隣接する小片ａ１ の直線辺を間隔ｗにとっている。 
中心ｏ１ から対称の離隔位置の４箇所の中心ｏ２ に対し前記小片ａ１ と同じように４個の小片ａ２ の４組がそれぞれ配設されている。向合っている小片ａ１ 、ａ２ の円弧状斜辺の間に中心ｏ１ 、ｏ２ から半径ｒの円弧状側壁で囲まれた略船形状の中間片ｂが４個対称位置に配設され、小片ａ１ 、ａ２ の円弧状斜辺と向合っている中間片ｂの円弧状側壁とは間隔ｗにとられている。
中心ｏ１ を通る左右及び上下方向直線と基部５１の左右及び上下端縁部との交点を中心ｏ３ として半径ｒの半円弧状側壁から該半円弧状側壁の中間を直線側壁により間隔ｗの間隙を形成した端部片ｃが上下左右に４個設けられている。
基部５１の四隅を中心ｏ４ とし半径ｒの４分円弧状側壁を形成した隅片ｄが４個設けられ、隣合った端部片ｃの最も接近位置が間隔ｗにとられている。
上記した通り、突起部５２は小片ａ１ 、ａ２ 、中間片ｂ、端部片ｃ及び隅片ｄを組合わせて構成されているが、各片はいずれも基部５１上面から同じ高さｔ３ だけ突出して面一とされ、基部５１と合わせ凹路を形成し温水パイプ４が安定して保持可能とされている。 
そして付加的構成として、隅片ｄの角部に連結片ｅが設けられ該連結片ｅは略直角二等辺三角形で隅片ｄの他の部分より僅かに高さを低くした座部ｅ１ と、該座部ｅ１ の中間部に該三角形の斜辺に沿って弧状の小溝部ｅ２ が設けられ、後述するブロック連結具７を座部ｅ１ 及び小溝部ｅ２ に嵌着して保温ブロック５を４個単位で連結して所望する部屋の広さに適合可能とされる。
これにより、保温ブロック５の１個について前後及び左右方向には間隔ｗの３本の直線配管路が確保でき、小片ａ１ 、２ の円弧状斜辺と中間片ｂ、端部片ｃ及び隅片ｄの円弧状側壁を選択して組合わせることにより湾曲配管路を確保できる。又保温ブロック５をを４個単位で連結して直線及び湾曲配管路を適宜組み合わせることにより所望する部屋の床暖房の配管パターンに柔軟に対応可能である。
【００１０】
断熱反射板６は、下側に断熱性のベース材を配し、上表面側に金属フォイル例えばアルミフォイルの熱反射材が貼着された厚さｔ５ の略正方形状薄板材で、ベース材により床下側からの冷気を遮断し、上側からの熱の散失を防ぎ熱反射材によって上側からの熱反射を可能としている。
ブロック連結具７は、図４（ｃ）（裏返し状態で示す）に示す通り、硬質プラスチック例えばポリプロピレン製の略正方形板材で保温ブロック５を４個単位で連結する際略正方形に形成される４個の座部ｅ１ に嵌着可能な大きさの基板７１と、基板７１裏面に小溝部ｅ２ に嵌着可能なように同心円弧上に基板７１の各辺を外側において突設された４個の小突起７２とを有している。そして、図２、３に示す通り保温ブロック５を４個単位略正方形状に並べて中央部にある各座部ｅ１ に基板７１を、各小溝部ｅ２ に各小突起７２をそれぞれ嵌着し、各保温ブロック５を強固に連結可能とされている。
【００１１】
次に、図１乃至３を参照して、床暖房パネル１の施工方法について説明する。
先ずスラブ、合板等の平坦な下地全面に断熱反射板６を接着し、断熱反射板６上面に保温ブロック５を敷設しビス等の固着具によって固着するが、このとき保温ブロック５は図２に示す様に４個単位で並べ中央部をブロック連結具７によって連結し部屋の大きさに合わせた数だけ準備する例で説明する。
所望の部屋暖房に対応する温水パイプ４のレイアウトに合わせて、直線部４１には直管用熱板３を、円弧部４２には曲管用熱板３′をそれぞれ選択しておく。そして所望の部屋暖房に対応させ、保温ブロック５の突起部５２の小片ａ１ 、ａ２ 、中間片ｂ、端部片ｃ及び隅片ｄの組合わせと基部５１により形成される凹状配管路に配管溝部３２及び３２′を圧入し、突起部５２の上面に平坦部３１及び３１′をおく。次いで、配管溝部３２及び３２′内に平坦部３１及び３１′側の入り口３２ａ、３２′ａ上方より温水パイプ４を圧入することにより、温水パイプ４は直線部４１及び円弧部４２共配管溝部３２及び３２′内に安定して収納保持される。図３は直管用熱板３及び曲管用熱板３′内における温水パイプ４の配管の一例を示しているが、これら配管組合わせのバリエーションによって部屋暖房に対する多様な顧客の要求に柔軟に対応可能となる。
次いで、直管用熱板３及び曲管用熱板３′の平坦部３１及び３１′上に上板２を耐熱性の接着剤例えばウレタン系接着剤で接着被覆する。上板２は通常保温ブロック５の２倍のモジュールの大きさにとられているので、４個単位で連結した保温ブロック５が上板２によって過不足なく被覆される。
以上により本発明の床暖房パネル１の施工は完了するが、最終的には通常上板２の上面をフローリング、カーペット又は畳等の表面仕上げ材（図示省略）で被覆している。
【００１２】
次に、床暖房パネル１の使用方法について説明する。
図示省略するが、別途設置の石油、ガス又は電気温水器等より温水パイプ４に６０〜７０℃の温水を供給すると、温水パイプ４の大部分が被覆されている直管用熱板３及び曲管用熱板３′を介して下方には断熱板６がおかれ下側のベース材によって断熱され上表面側の熱反射材によって熱が上方に反射され、温水パイプ４の側面は保温ブロック５がおかれ保温されているので、温水の熱は大部分が直管用熱板３及び曲管用熱板３′を介して上方に伝えられ上板２を効率良く加熱し、上板２に含まれる麦飯石を加熱し温度を適温に保持されて遠赤外線を多発し床暖房として有効に作用する。
尚、冬季の凍結防止のためには温水パイプ４には不凍液を用いるのが好ましい。
【実施例１】
【００１３】
上板２は、横幅９００ｍｍ×前後長さ９００ｍｍ×厚さ６ｍｍの略正方形状圧縮成型平板で、表面層はポリ塩化ビニル３０％、炭酸カルシウム５０％、混合材、カーボン、石粉及び顔料２０％を混合し，裏面層はポリ塩化ビニル３０％、炭酸カルシウム５０％、混合材、カーボン、及び石粉２０％を混合し、中間層はポリ塩化ビニル３０％、炭酸カルシウム３０％、混合材、カーボン、石粉及び顔料１５％、麦飯石２５％を混合し，表裏面層の間に中間層を介在せしめて一体に圧縮成型され、表面層、裏面層及び中間層はほぼ同じ厚さにとられている。
直管用熱板３は、横幅２１０ｍｍ×前後長さ４００ｍｍ×厚さ０．４ｍｍの外形が略長方形状の薄厚亜鉛塗装鋼板でプレス加工されている。曲管用熱板３′は、横幅１９５ｍｍ×前後長さ１９５ｍｍ×厚さ０．４ｍｍの外形が略正方形状の薄厚亜鉛塗装鋼板でプレス加工されている。
温水パイプ４は、外径２０ｍｍ、内径１５ｍｍの断面円形状の架橋ポリエチレン製のパイプである。
保温ブロック５は、硬質ポリプロピレン製で、外形が横幅４５０ｍｍ×前後長さ４５０ｍｍ×厚さ２５ｍｍの略正方形状圧縮射出成型体であり、平板状の厚さ２ｍｍの基部５１と、基部５１の上面から高さ２５ｍｍだけ突出する突起部５２とからなっている。
断熱反射板６は、横幅１０００ｍｍ×前後長さ１０００ｍｍ×厚さ２ｍｍの略正方形状で断熱性のベース材を配し、上表面側にアルミフォイルが貼着されている。
ブロック連結具７は、硬質ポリプロピレン製の横幅５０ｍｍ×前後長さ５０ｍｍ×厚さ１１ｍｍの略正方形板状である。
上記各構成要素を用い、前記施工方法によって実施例１の床暖房パネル１を得た。
そして、実施例１の床暖房パネル１の温水パイプ４に別途設置の石油温水器より６０〜７０℃の温水を供給し、直管用熱板３及び曲管用熱板３′が加熱され、上板２が加熱され麦飯石は温度３８℃前後に保持され遠赤外線を継続的に発生し好適な床暖房が得られた。
【００１４】
前記保温ブロック５では、外形は略正方形状成型体で、基部５１は略正方形平板状として説明したが、変形例として基部５１を上下及び／又は左右方向に拡大し、該基部５１の拡大に対応して突起部５２の各片を順次増加せしめる構成としてもよいが、前記保温ブロック５のような構成とすると統一したモジュールで使い勝手がよい。
【産業上の利用可能性】
【００１５】
床暖房パネルを熱板から遠赤外線を放射可能とし、安全、クリーンで健康増進を計ることに利用できる。又温水パイプの配管が多様な顧客の要求に柔軟に対応可能である。
【図面の簡単な説明】
【００１６】
【図１】本発明の一例の床暖房パネルの温水パイプ直線部分の横断面図である。
【図２】図１の床暖房パネルを構成する保温ブロック４個を連結した平面図である。
【図３】図２の保温ブロック４個に各熱板及び温水パイプを装着した平面図である。
【図４】図１の床暖房パネルの構成要素の斜視図で、（ａ）直管用熱板熱板、（ｂ）曲管用熱板及び（ｂ）ブロック連結具を示す。
【図５】図１の床暖房パネルを構成する保温ブロックの、（ａ）平面図及び（ｂ）側面図である。
【符号の説明】
【００１７】
１ 
床暖房パネル
２ 
上板
３ 
直管用熱板
３′曲管用熱板
３１、３１′ 
平坦部
３２、３２′ 
配管溝部
４ 
温水パイプ
４１ 
直線部
４２ 
円弧部
５ 
保温ブロック
５１ 
基部
５２ 
突起部
６ 
断熱反射板
７ 
ブロック連結具
７１ 
基板
７２ 
小突起
ａ１ 、ａ２   小片
ｂ 
中間片
ｃ 
端部片
ｄ 
隅片
ｅ 
連結片
ｅ１   座部
ｅ２   小溝部
ｏ１ 〜ｏ４   中心
【図１】
2005241101.tif 000003
【図２】
2005241101.tif 000004
【図３】
2005241101.tif 000005
【図４】
2005241101.tif 000006
【図５】
2005241101.tif 000007